(57)【要約】【課題】  照射中心に被検体の撮影部位を設定しても、適切なＸ線撮影画像が得られるＸ線画像診断装置を提供する。【解決手段】  被検体Ｐが載置される天板５と、天板５を長手方向及び巾方向に移動して前記天板の位置を設定する機構部３と、被検体Ｐに対してＸ線を照射するＸ線発生部１と、Ｘ線発生部１から照射され、被検体Ｐを透過したＸ線を検出するＸ線検出部２と、Ｘ線の照射範囲を設定するＸ線絞り器１２とを備え、Ｘ線絞り器１２に設定された照射範囲内に天板５の天板サイドレール５ｂを検出したとき、Ｘ線絞り制御部１３は、機構部３からの天板５の位置情報に基づいて、Ｘ線絞り器１２に天板サイドレール５ｂを除いた照射範囲に補正した設定をさせる。【選択図】  図１
2006255236.tif 000002
【特許請求の範囲】
【請求項１】
被検体が載置される天板と、
前記天板を長手方向及び巾方向に移動する天板移動手段と、
前記天板の位置を検出する天板位置検出手段と、
前記被検体に対してＸ線を照射するＸ線発生手段と、
前記Ｘ線発生手段から照射され、前記被検体を透過したＸ線を検出するＸ線検出手段と、
前記Ｘ線発生手段から照射されたＸ線の照射範囲を設定する照射範囲設定手段と、
前記照射範囲設定手段により設定された照射範囲内に所定の位置を検出したとき、前記天板位置検出手段からの前記天板の位置情報に基づいて、前記所定の位置を除いた範囲に前記照射範囲を補正して設定する照射範囲補正手段とを
備えたことを特徴とするＸ線画像診断装置。
【請求項２】
前記照射範囲設定手段は、前記天板の巾方向の照射範囲に対して一方側及び他方側に２分割された範囲を独立して設定可能な一方側及び他方側照射範囲設定手段を有し、前記照射範囲補正手段は、前記一方側及び他方側照射範囲設定手段の前記所定の位置が含まれる方の側を用いて補正して設定するようにしたことを特徴とする請求項１に記載のＸ線画像診断装置。
【請求項３】
前記天板は、前記被検体を載置するための天板本体及びこの天板本体の巾方向の両端部に前記天板の長手方向に延びて配置された前記天板本体を補強するための天板サイドレールを有し、前記所定の位置が前記天板よりもＸ線透過性に劣る前記天板サイドレールであることを特徴とする請求項１または請求項２のいずれかに記載のＸ線画像診断装置。
【発明の詳細な説明】
【技術分野】
【０００１】
本発明は、Ｘ線画像診断装置に係り、特に照射範囲補正手段としてのＸ線絞り器を備えたＸ線画像診断装置に関する。
【背景技術】
【０００２】
Ｘ線画像診断装置には、被検体を透過したＸ線を、Ｘ線フィルムに感光させてＸ線画像を得る直接撮影方式と、イメージインテンシファイアで可視光に変換し、この光をテレビカメラで撮影してＸ線画像を得る方式や、平面検出器で電荷に変換し、この電荷を電気信号に変換してＸ線画像を得る方式の間接撮影方式があり、消化管造影検査、気管支造影検査等に広く利用されている。
【０００３】
Ｘ線画像診断装置のＸ線発生部は、Ｘ線を発生するＸ線管と、Ｘ線管から照射されたＸ線の照射範囲を制限して被検体への余分な曝射を回避するためのＸ線絞り器とを備えている。このＸ線絞り器は、内蔵した絞り羽根を調整することによってＸ線の照射範囲を所望の範囲に設定できるようになっている（例えば、特許文献１参照。）。
【０００４】
そして、Ｘ線透視により表示部に表示された透視画像を見ながら被検体を載置した天板を長手方向及び巾方向に移動して被検体の撮影部位が撮影中心なるように設定され、その撮影中心にＸ線の照射中心を合わせてＸ線撮影が行われる。
【０００５】
ところで、天板は、被検体が載置される天板本体と、天板本体の巾方向の両端部に配置された天板サイドレールから構成される。この天板本体はＸ線透過性に優れた材料が用いられ、しかも少ないＸ線量でよい画像が得られるように薄く形成されている。また、天板本体を補強するための天板サイドレールは、天板本体よりもＸ線透過性が劣る材料になっている。
【０００６】
Ｘ線画像診断装置を用いてＸ線撮影を行う場合、予めＸ線透視により天板を移動して被検体の撮影部位を撮影中心に合わせる。しかし、Ｘ線撮影に不要な天板サイドレールが撮影視野に含まれると、Ｘ線透視は行えても撮影インターロック機能が作動し、Ｘ線撮影をできないようになっている。
【０００７】
この場合、再度天板を巾方向の移動した側とは逆方向に移動するか、或いはＸ線絞り器の照射範囲を狭くしてＸ線撮影が行われる。
【特許文献１】特開平６―２１７９７３号公報
【発明の開示】
【発明が解決しようとする課題】
【０００８】
しかしながら、被検体の撮影部位を撮影中心に合わせて天板を設定したにもかかわらず、撮影インターロックが働くことによって、天板を移動して撮影部位を撮影中心からずらして撮影することになり、この場合には照射中心もずれてＸ線画像の撮影部位の画質が低下する問題や、被検体の不要な部分までＸ線を照射してしまう問題がある。また、撮影インターロックが働いたために照射範囲を狭くする場合には、適切な撮影視野が得られなくなる問題がある。更に、天板或いはＸ線絞り器を再設定してからＸ線撮影を行うことになるので、Ｘ線撮影に時間が掛かる問題もある。
【０００９】
本発明は、上記問題点を解決するためになされたもので、照射中心に被検体の撮影部位を設定しても、適切なＸ線画像が得られるＸ線画像診断装置を提供することを目的とする。
【課題を解決するための手段】
【００１０】
上記問題を解決するために、本発明のＸ線画像診断装置は、被検体が載置される天板と、前記天板を長手方向及び巾方向に移動する天板移動手段と、前記天板の位置を検出する天板位置検出手段と、前記被検体に対してＸ線を照射するＸ線発生手段と、前記Ｘ線発生手段から照射され、前記被検体を透過したＸ線を検出するＸ線検出手段と、前記Ｘ線発生手段から照射されたＸ線の照射範囲を設定する照射範囲設定手段と、前記照射範囲設定手段により設定された照射範囲内に所定の位置を検出したとき、前記天板位置検出手段からの前記天板の位置情報に基づいて、前記所定の位置を除いた範囲に前記照射範囲を補正して設定する照射範囲補正手段とを備えたことを特徴とする。
【発明の効果】
【００１１】
本発明によれば、Ｘ線撮影にあたり、撮影中心（照射中心）に被検体の撮影部位を設定しても、余分な部分を除いた照射範囲に補正した設定ができるので、不要な部分の撮影を行わず適切なＸ線画像を得ることができる。
【発明を実施するための最良の形態】
【００１２】
以下、図面を参照して本発明の実施例を説明する。
【実施例】
【００１３】
以下、本発明のＸ線画像診断装置の実施例を、図１乃至図６を参照して説明する。
【００１４】
図１は、本発明によるＸ線画像診断装置の実施例の構成を示したブロック図である。このＸ線画像診断装置１０は、被検体Ｐを載置する天板５と、この天板５を水平移動する機構部３と、被検体Ｐに対してＸ線を照射するＸ線発生部１と、被検体Ｐを透過したＸ線を二次元的に検出してＸ線画像やＸ線投影データを生成するＸ線検出部２と、Ｘ線発生部１におけるＸ線照射に必要な高電圧を発生する高電圧発生部４とを備えている。
【００１５】
また、Ｘ線画像診断装置１０は、Ｘ線検出部２において生成されたＸ線投影データに基づいて、透視画像データ、撮影画像データなどの画像データの生成や、撮影画像データの保存を行なう画像処理部６と、この画像処理部６で生成された透視画像データ、撮影画像データなどの画像データや、画像処理部６に保存されている撮影画像データなどを表示する表示部７とを備えている。
【００１６】
更に、Ｘ線画像診断装置１０は、被検体情報、撮影条件、表示条件などの諸条件の選択や入力、種々のコマンドの入力などの様々な入力操作を行う操作部８と、Ｘ線画像診断装置１０の上記各ユニットを統括して制御するシステム制御部９を備えている。
【００１７】
天板５は、図２に示したように、被検体Ｐを載置する長方形の天板本体５ａと、天板本体５ａの巾方向の両端部全体に亘って配置される天板サイドレール５ｂから構成される。天板本体５ａは、少ないＸ線量で鮮明な画像を得られるようにＸ線透過性に優れた材料で薄く形成されている。また、天板サイドレール５ｂは、天板本体５ｂを補強するために設けられており、天板本体５ａよりもＸ線透過性に劣るアルミニウム材などから形成されている。そして、天板５は、機構部３により天板５の巾方向の矢印Ｌ１或いはＬ２方向、及び長手方向の矢印Ｌ３方向へ水平移動できるようになっている。
【００１８】
図１に示した機構部３は、Ｘ線発生部１及びＸ線検出部２に対して被検体Ｐを移動させるために、天板５を長手方向及び巾方向に移動する天板移動機構３１と、天板５の位置を検出する天板位置検出器３２と、天板移動機構３１を制御する天板機構制御部３３とを備えている。
【００１９】
天板移動機構３１は、天板機構制御部３３の制御により、天板５を移動指示位置や天板設定位置に移動する。
【００２０】
天板位置検出器３２は、天板移動機構３１から天板５の位置を検出して天板位置信号を天板機構制御部３３に出力する。
【００２１】
天板機構制御部３３は、操作部８からシステム制御部９を介して供給される天板移動指示信号に基づいて、天板移動機構３１に駆動信号を供給して天板５を移動させる。また、天板機構制御部３３は、操作部８からシステム制御部９を介して供給される天板設定位置信号に基づいて、天板移動機構３１に駆動信号を供給して天板位置検出器３２からの天板位置信号が天板設定位置信号に一致する位置まで天板５を移動させる。更に、天板位置検出器３２からの天板位置信号をシステム制御部９に出力する。
【００２２】
Ｘ線発生部１は、天板５の上方に配置され、被検体Ｐに対しＸ線を照射するＸ線管１１と、予め設定された撮影視野に合わせてＸ線管１１から照射されたＸ線の照射範囲を設定するＸ線絞り器１２と、Ｘ線絞り器１２を制御するＸ線絞り制御部１３とを備えている。
【００２３】
図３は、Ｘ線絞り器１２の構成を示した図である。このＸ線絞り器１２は、Ｘ線管１１から照射されたＸ線を方形の照射範囲に設定するための下羽根１４と、下羽根に連動して散乱線や漏れ線量の低減を行うための上羽根１５と、下羽根１４及び上羽根１５を移動させるための移動機構１７と、移動機構１７から下羽根１４及び上羽根１５の位置を検出する位置検出器１８とを備えている。
【００２４】
下羽根１４は、天板５の巾方向（以下、省略して巾方向と呼ぶ。）の照射範囲を設定する下羽根１４ａ及び１４ｂと、天板５の長手方向（以下、省略して長手方向と呼ぶ。）の照射範囲を設定する下羽根１４ｃ及び１４ｄとを備えている。
【００２５】
上羽根１５は、巾方向の照射範囲を設定する上羽根１５ａ及び１５ｂと、長手方向の照射範囲を設定する上羽根１５ｃ及び１５ｄとを備えている。
【００２６】
下羽根１４ａ及び上羽根１５ａは、連動して動作し、Ｘ線管１１から照射されるＸ線の照射中心線に対して照射角θａを形成して巾方向の照射範囲の左方に当たる左方照射範囲を設定する。また、下羽根１４ｂ及び上羽根１５ｂは、連動して動作し、照射中心線に対して照射角θｂを形成して巾方向の照射範囲の右方に当たる右方照射範囲を設定する。更に、下羽根１４ｃ、１４ｄ及び上羽根１５ｃ、１５ｄは、連動して動作し、天板５の長手方向に均等に図示しない照射角θｃを形成して長手方向の照射範囲を設定する。
【００２７】
移動機構１７は、下羽根１４ａ及び上羽根１４ａを連動させて天板５の巾方向に移動して左方照射範囲を設定する移動機構１７ａと、下羽根１４ｂ及び上羽根１４ｂを連動させて天板５の巾方向に移動して右方照射範囲を設定する移動機構１７ｂと、下羽根１４ｃ、１４ｄ及び上羽根１５ｃ、１５ｄを連動させて天板５の長手方向に移動して長手方向の照射範囲を設定する移動機構１７ｃとを備えている。
【００２８】
位置検出器１８は、移動機構１７ａから下羽根１４ａ及び上羽根１４ａの位置を検出する位置検出器１８ａと、移動機構１７ｂから下羽根１４ｂ及び上羽根１４ｂの位置を検出する位置検出器１８ｂと、移動機構１７ｃから下羽根１４ｃ、１４ｄ及び上羽根１４ｃ、１４ｄの位置を検出する位置検出器１８ｃとを備えている。そして、移動機構１７から下羽根１４及び上羽根１５の位置を検出してそのＸ線絞り位置信号をＸ線絞り制御部１３に出力し、またＸ線絞り制御部１３を介してシステム制御部９に出力する。
【００２９】
Ｘ線絞り制御部１３は、操作部８からシステム制御部９を介して供給される撮影条件の撮影視野の情報に基づいて、Ｘ線絞り器１２の移動機構１７に対して駆動信号を供給して下羽根１４及び上羽根１５を撮影視野に一致する照射範囲の位置に移動させる。
【００３０】
また、Ｘ線絞り制御部１３は、操作部８からシステム制御部９を介して供給されるＸ線絞り移動指示信号やＸ線絞り位置設定信号に基づいて、Ｘ線絞り器１２の移動機構１７に対して駆動信号を供給して下羽根１４及び上羽根１５を移動指示位置やＸ線絞り位置に移動させる。
【００３１】
そして、撮影視野の情報に基づいて巾方向の照射範囲を設定する場合、Ｘ線絞り制御部１３は、移動機構１７ａ及び１７ｂに対して駆動信号を供給して照射角θａ及びθｂが同じになる位置に下羽根１４ａ、１４ｂ及び上羽根１５ａ、１５ｂを移動させる。
【００３２】
また、Ｘ線撮影時に巾方向の照射範囲に天板５の天板サイドレール５ｂが含まれる場合、Ｘ線絞り制御部１３は、システム制御部９から出力される照射範囲補正信号に基づいて、左方照射範囲及び右方照射範囲の天板サイドレール５ｂが含まれる方に対応した移動機構１７ａ或いは１７ｂに駆動信号を供給して、天板サイドレール５ｂを除いた照射範囲補正位置に下羽根１４ａ及び上羽根１５ａ、或いは下羽根１４ｂ及び上羽根１５ｂを移動させる。
【００３３】
図４は、巾方向の照射範囲の補正を説明するための図である。図４（ａ）に示したように、天板５の天板本体５ａの短辺の長さ及びＸ線発生部１のＸ線管１１と天板５間の距離を２Ｗ及びＤとし、予め設定された撮影視野に対応する巾方向の照射範囲を２Ｗよりも狭い範囲を形成する照射角２θｍに設定したとする。
【００３４】
この場合、天板５の巾方向の中央部がＸ線管１１の照射中心線に一致するＡ位置において、左方及び右方照射範囲は夫々照射角θｍを形成して実線で示した矢印の左方及び右方照射範囲に設定される。
【００３５】
次に、天板５をＡ位置からＬ１方向に距離Ｘ１（Ｘ１＜Ｗ）移動した図４（ｂ）のＢ位置において、Ｘ線管１１と天板本体５ａの右方の端部を結ぶ破線と照射中心線により形成される角度をθｘ１とすると、θｘ１と距離Ｘ１は、θｘ１＝ａｒｃｔａｎ{（Ｗ−Ｘ１）／Ｄ}の関係式で表される。
【００３６】
そして、巾方向の照射範囲の照射角２θｍが２θｘよりも大きいＢ位置などのＸ線撮影の場合、巾方向の照射範囲に右方の天板サイドレール５ｂが含まれるので、システム制御部９は、図４（ｂ）の破線で示した矢印の範囲Ｅを除いて右方の天板サイドレール５ｂを含まない実線で示した右方照射範囲Ｆを形成する照射角θｘ１を算出し、Ｘ線絞り制御部１３に照射角θｘ１への補正設定の指示をする。
【００３７】
また、図示しないが、Ａ位置からＬ２方向に距離Ｘ２（Ｘ２＜Ｗ）移動した位置で、巾方向の照射角２θｍが２θｘ２よりも大きいＸ線撮影の場合、Ｂ位置の場合と同様に巾方向の照射範囲に左方の天板サイドレール５ｂが含まれるので、システム制御部９は、左方の天板サイドレール５ｂを含まない左方照射範囲を形成する照射角θｘ２（＝ａｒｃｔａｎ{（Ｗ−Ｘ２）／Ｄ}を算出し、Ｘ線絞り制御部１３に照射角θｘ２への補正設定の指示をする。
【００３８】
この巾方向の照射範囲の補正により、被検体Ｐの撮影部位を照射中心線に合わせた状態で、不要な天板サイドレール５ｂへのＸ線照射を避けて、天板サイドレール５ｂが被検体Ｐと共にＸ線撮影されるのを防ぐことができる。
【００３９】
図１のＸ線検出部２は、Ｘ線発生部１に対向して天板５の下方に配置され、被検体Ｐを透過したＸ線を検出して光に変換するイメージインテンシファイア２１と、変換した光を電気信号に変換してＸ線投影データを生成するテレビカメラ２２と、Ｘ線撮影時に被検体Ｐを透過したＸ線からＸ線画像を生成するＸ線フィルムをＸ線検出位置に搬入及び搬出するスポット部２３を備えている。
【００４０】
高電圧発生部４は、Ｘ線管１１の陰極から発生する熱電子を加速するために、陽極と陰極の間に印加する高電圧を発生させる高電圧発生器４２と、システム制御部９からの指示信号に従い、高電圧発生器４２における管電流、管電圧、照射時間等のＸ線照射条件の制御を行なうＸ線制御部４１とを備えている。
【００４１】
画像処理部６は、Ｘ線検出部２で出力されたＸ線投影データに対して種々の画像処理を行なって透視画像データ、撮影画像データなどの画像データを生成して表示部７に出力する。また、画像処理部６は、生成した撮影画像データを保存する機能を有する。
【００４２】
表示部７は、画像処理部６において生成された透視画像データ、撮影画像データなどの画像データの表示や、画像処理部６において保存された撮影画像データの表示を行うためのものであり、液晶パネル、或いはＣＲＴのモニタを備えている。
【００４３】
操作部８は、キーボード、トラックボール、ジョイスティック、マウスなどの入力デバイスや表示パネル、更には、各種スイッチ等を備えたインターラクティブなインターフェイスであり、被検体情報や撮影部位の入力、Ｘ線撮影やＸ線透視の操作、天板５の位置設定、撮影視野などの各種撮影条件の設定、各種コマンドの入力を行う。
【００４４】
システム制御部９は、図示しないＣＰＵと記憶回路を備え、操作部８から供給される操作者のコマンド信号、撮影条件などの情報や、Ｘ線発生部１及び機構部３などから出力されるＸ線絞り位置信号及び天板位置信号などの情報等を一旦記憶した後、これらの情報に基づいた照射範囲の設定、天板位置の設定、照射範囲の補正、Ｘ線画像やＸ線投影データの生成、上述の各種画像データの生成と表示に関する制御などシステム全体の制御を行う。
【００４５】
次に、図５及び図６を参照して、Ｘ線画像診断装置１０の操作及び動作について説明する。図５は、Ｘ線画像診断装置１０の操作による動作の一例を示したフローチャートである。
【００４６】
Ｘ線画像診断装置１０の操作者が、被検体Ｐの被検体情報や撮影部位、撮影視野などの撮影条件を操作部８から入力することにより、Ｘ線画像診断装置１０はＸ線撮影を行うための動作を開始する（ステップＳ１）。
【００４７】
操作部８からの入力操作により、システム制御部９は、被検体Ｐの被検体情報や撮影部位、撮影視野などの撮影条件等を、内部の記憶回路に保存する（ステップＳ２）。
【００４８】
次に、天板５上に被検体Ｐを載置させて、操作部８からＸ線透視の操作を行う。操作部８からのＸ線透視操作により、システム制御部９は、内部記憶回路に保存した撮影条件に基づいて、高電圧発生部４に指示してＸ線透視用の電圧を発生させＸ線発生部１に供給させる。また、Ｘ線発生部１の絞り制御部１３は、システム制御部９からの指示により、Ｘ線絞り器１２の移動機構１７を制御して予め操作部８から入力された撮影条件の照射範囲になる位置に下羽根１４及び上羽根１５を移動させる。
【００４９】
そして、Ｘ線発生部１のＸ線管１１は、予め入力された照射範囲に設定されたＸ線絞り器１２を介して、Ｘ線透視用のＸ線を被検体Ｐに照射する。
【００５０】
Ｘ線検出部２は、被検体Ｐを透過したＸ線透視用のＸ線を検出してＸ線投影データに生成して画像処理部６に出力し、そのＸ線投影データを画像処理部６は処理して透視画像データを生成して表示部７に出力する。そして、表示部７は、画像処理部６からの透視画像データを表示する（ステップＳ３）。
【００５１】
操作者は、表示部７に表示された被検体Ｐの透視画像を見ながら、操作部８から天板５を移動操作して、被検体Ｐの撮影部位をＸ線発生部１の照射中心線上にあるＸ線検出部２の撮影中心に設定する。
【００５２】
操作部８からの天板移動操作により、機構部３の天板機構制御部３３は、システム制御部９を介しての天板移動操作信号に基づいて、天板移動機構３１を制御して天板５を照射中心線上に移動させる（ステップＳ４）。
【００５３】
図６は、撮影中心（照射中心線）に撮影部位が設定された被検体Ｐ、Ｘ線発生部１、Ｘ線検出部２、及び天板５の位置を、天板５の長手方向から見た図である。
【００５４】
図６（ａ）に示した天板５上の被検体Ｐの撮影部位が、被検体Ｐの右方であったとする。また、設定された撮影視野に対応する巾方向の照射範囲が、照射角２θ１により形成される範囲であったとすると、その左方及び右方照射範囲の照射角は夫々θ１になる。更に、被検体Ｐの撮影部位を照射中心線に合わせた時の天板５が、移動前の天板の位置（図４（ａ）のＡ位置）からＬ１方向に距離Ｘ３離れた位置であったとする。
【００５５】
次に、操作部８からのＸ線撮影操作により、システム制御部９は、内部記憶回路に保存した撮影条件に基づいて、Ｘ線撮影を開始する（図５のステップＳ５）。
【００５６】
まず、システム制御部９は、天板位置検出器３２から出力される天板位置信号を天板機構制御部３３を介して受信すると共に、Ｘ線発生部１のＸ線絞り器１２の位置検出器１８から出力されるＸ線絞り位置信号をＸ線絞り制御部１３を介して受信する。
【００５７】
次いで、システム制御部９は、天板５の巾方向の中央部が照射中心線からＬ１方向に距離Ｘ３離れた天板位置情報に基づいて、図４（ｂ）に示した関係式から求めた２θｘ３（＝２ａｒｃｔａｎ{（Ｗ−Ｘ３）／Ｄ}）と、操作部８から予め設定入力された巾方向の照射範囲の照射角２θ１とを比較する（図５のステップＳ６）。
【００５８】
そして、２θ１が２θｘ３よりも大きい場合（図５のステップＳ７のはい）、システム制御部９は、右方照射範囲の照射角をθｘ３に補正設定させるための照射範囲補正信号をＸ線絞り制御部１３に出力する。また、２θ１が２θｘ３と同じかもしくは小さい場合（図５のステップＳ７のいいえ）、システム制御部９は、巾方向の照射範囲を補正せずにステップ９へ移行して指示をする。
【００５９】
Ｘ線絞り制御部１３は、システム制御部９を介して供給される照射範囲補正信号に基づいて、移動機構１７ｂに対して駆動信号を供給して、照射角がθｘ３になる位置に下羽根１４ｂ及び上羽根１５ｂを移動させる（図５のステップＳ８）。
【００６０】
図６（ｂ）は、２θ１＞２θｘ３の場合における巾方向の照射範囲補正動作を示した図である。この場合、図６（ａ）に示した右方照射範囲に右方の天板サイドレール５ｂが含まれるので、Ｘ線絞り制御部１３は、被検体Ｐの撮影部位を照射中心線に合わせた状態で、天板サイドレール５ｂを含まない照射角θｘ３を形成する補正後の右方照射範囲に設定する。
【００６１】
次に、システム制御部９は、高電圧発生部４に指示してＸ線撮影用の電圧を発生させＸ線発生部１に供給させる。Ｘ線発生部１のＸ線管１１は、巾方向の照射範囲を補正したＸ線絞り器１２を介して、被検体ＰにＸ線撮影用のＸ線を照射する。
【００６２】
Ｘ線検出部２は、被検体Ｐを透過したＸ線撮影用のＸ線を検出して、Ｘ線フィルムへのＸ線画像或いはイメージインテンシファイア２１を介してのテレビカメラ２２へのＸ線投影データの生成を行なう。そして、Ｘ線検出部２においてＸ線投影データを生成した場合には画像処理部６に出力し、画像処理部６はＸ線検出部２において生成されたＸ線投影データを処理して撮影画像データを生成して保存すると共に表示部７に出力する。表示部７は、画像処理部６からの被検体Ｐの撮影画像データを表示する（図５のステップＳ９）。
【００６３】
そして、システム制御部９がＸ線発生部１、Ｘ線検出部２、高電圧発生部４、画像処理部６、表示部７などの動作を停止させた時点で、Ｘ線画像診断装置１０は、Ｘ線撮影のための動作を終了する（図５のステップＳ１０）。
【００６４】
以上述べた本発明の実施例によれば、天板の巾方向の照射範囲に撮影に不要な天板サイドレールが含まれる場合、天板の巾方向の照射範囲に対して２分割された左方及び右方照射範囲を独立して設定可能なＸ線絞り器を設け、天板位置情報に基づいて天板サイドレールが含まれる方の照射範囲を補正して設定することにより、被検体の撮影部を照射中心に合わせ、且つ不要な部分を除き適切な撮影視野を確保した状態でＸ線撮影を行うことができる。このことにより、Ｘ線画像の撮影部位の画質の低下を防ぐことができる。
【００６５】
また、撮影インターロックが無くなるので、天板やＸ線絞り器の照射範囲を再設定する必要がなくなり短時間でのＸ線撮影が可能となり、Ｘ線撮影の効率の向上を図ることができる。
【００６６】
更に、天板やＸ線絞り器の照射範囲の再設定後に行われていたＸ線撮影の必要がなくなるので、被検体への被爆量を低減することができる。
【００６７】
なお、本発明は上記実施例に限定されるものではなく、照射範囲の形状が方形でない場合には、天板の巾方向の左方及び右方照射範囲を設定する絞り羽根及び絞り羽根を駆動する移動機構と位置検出器を設けて実施するようにしてもよい。
【図面の簡単な説明】
【００６８】
【図１】本発明の実施例に係るＸ線画像診断装置の構成を示すブロック図。
【図２】本発明の実施例に係る天板の構成を示す図。
【図３】本発明の実施例に係るＸ線絞り器の構成を示す図。
【図４】本発明の実施例に係る巾方向の照射範囲の補正を説明するための図。
【図５】本発明の実施例に係るＸ線画像診断装置の動作を説明するためのフローチャート。
【図６】本発明の実施例に係る巾方向の照射範囲の補正を説明するための図。
【符号の説明】
【００６９】
Ｐ  被検体
１  Ｘ線発生部
２  Ｘ線検出部
３  機構部
４  高電圧発生部
５  天板
６  画像処理部
７  表示部
８  操作部
９  システム制御部
１０  Ｘ線画像診断装置
１１  Ｘ線管
１２  Ｘ線絞り器
１３  Ｘ線絞り制御部
３１  天板移動機構
３２  位置検出器
３３  天板機構制御部
【図１】
2006255236.tif 000003
【図２】
2006255236.tif 000004
【図３】
2006255236.tif 000005
【図４】
2006255236.tif 000006
【図５】
2006255236.tif 000007
【図６】
2006255236.tif 000008